(57)【要約】【課題】多様な製品バリエーションに容易に対応可能でかつ製造コストの大幅な低減を図ることができる建具を提供すること。【解決手段】框室外部材２２Ａに室内外２箇所の結合部２２５が形成され、これらの結合部２２５のいずれかに框室内部材２２Ｂが結合されることで、見込み寸法が異なる下框２２Ｃを形成することができる。従って、框室外部材２２Ａおよび框室内部材２２Ｂを共通化しつつ、見込み寸法が異なる障子２０Ｃを有した引違い窓１Ａを構成することができ、設計から製造までの工程の短期化や、製造コストおよび部品管理コストの低減を図ることができる。【選択図】図４
2007255121.tif 000002
【特許請求の範囲】
【請求項１】
複数の枠材から構成される枠体と、この枠体内に支持される障子とを備え、前記障子が面材と、この面材の周囲を支持する框材とを有して構成された建具であって、
前記枠材および前記框材のうち少なくとも一方は、室外空間に露出する室外部材を有するとともに、
前記室外部材よりも室内側に位置する第１室内部材、および当該第１室内部材と前記室外部材とを連結する連結部材を有した第１形態、または
前記室外部材よりも室内側に位置して当該室外部材に連結される第２室内部材を有した第２形態のいずれか一方の形態で構成され、
前記第１形態における室外部材および連結部材の一方には、他方を結合する結合部が見込み方向に互いに離隔した複数箇所に形成されるか、または当該第１形態における第１室内部材および連結部材の一方には、他方を結合する結合部が見込み方向に互いに離隔した複数箇所に形成され、
前記第２形態における室外部材および第２室内部材の一方には、他方を結合する結合部が見込み方向に互いに離隔した複数箇所に形成されている建具。
【請求項２】
複数の枠材から構成される枠体と、この枠体内に支持される面材とを備えた建具であって、
前記枠材は、室外空間に露出する室外部材を有するとともに、
前記室外部材よりも室内側に位置する第１室内部材、および当該第１室内部材と前記室外部材とを連結する連結部材を有した第１形態、または
前記室外部材よりも室内側に位置して当該室外部材に連結される第２室内部材を有した第２形態のいずれか一方の形態で構成され、
前記第１形態における室外部材および連結部材の一方には、他方を結合する結合部が見込み方向に互いに離隔した複数箇所に形成されるか、または当該第１形態における第１室内部材および連結部材の一方には、他方を結合する結合部が見込み方向に互いに離隔した複数箇所に形成され、
前記第２形態における室外部材および第２室内部材の一方には、他方を結合する結合部が見込み方向に互いに離隔した複数箇所に形成されている建具。
【請求項３】
窓枠と、この窓枠内に支持される障子とを備えた建具であって、
前記障子は、上框、下框、および左右の縦框からなる框材を四周框組みした内部にガラスパネルを嵌め込んで構成され、
前記框材は、室外空間に露出する框室外部材を有するとともに、
前記框室外部材よりも室内側に位置する第１框室内部材、および当該第１框室内部材と前記框室外部材とを連結する框連結部材を有した第１框形態、または
前記框室外部材よりも室内側に位置して当該框室外部材に連結される第２框室内部材を有した第２框形態のいずれか一方の框形態で構成され、
前記第１框形態における框室外部材および框連結部材の一方には、他方を結合する結合部が見込み方向に互いに離隔した複数箇所に形成されるか、または当該第１框形態における第１框室内部材および框連結部材の一方には、他方を結合する結合部が見込み方向に互いに離隔した複数箇所に形成され、
前記第２框形態における框室外部材および第２框室内部材の一方には、他方を結合する結合部が見込み方向に互いに離隔した複数箇所に形成されている建具。
【請求項４】
単板ガラスと、合わせガラスと、複層ガラスとから選択した前記ガラスパネルを、前記第１框形態または前記第２框形態の框材を四周框組みした内部に嵌め込んで前記障子を形成する際に、前記複数の結合部から前記ガラスパネルの厚さ寸法に応じて選択した結合部に、前記框室外部材、第１框室内部材、框連結部材のいずれかを結合して第１框形態の框材を形成するか、または前記選択した結合部に前記框室外部材、第２框室内部材のいずれかを結合して第２框形態の框材を形成することで、当該障子が形成された請求項３に記載の建具。
【請求項５】
前記窓枠は、上枠、下枠、および左右の縦枠からなる枠材を四周枠組みして構成され、
前記枠材は、室外空間に露出する枠室外部材を有するとともに、
前記枠室外部材よりも室内側に位置する第１枠室内部材、および当該第１枠室内部材と前記枠室外部材とを連結する枠連結部材を有した第１枠形態、または
前記枠室外部材よりも室内側に位置して当該枠室外部材に連結される第２枠室内部材を有した第２枠形態のいずれか一方の形態で構成され、
前記第１枠形態における枠室外部材および枠連結部材の一方には、他方を結合する結合部が見込み方向に互いに離隔した複数箇所に形成されるか、または当該第１枠形態における第１枠室内部材および枠連結部材の一方には、他方を結合する結合部が見込み方向に互いに離隔した複数箇所に形成され、
前記第２枠形態における枠室外部材および第２枠室内部材の一方には、他方を結合する結合部が見込み方向に互いに離隔した複数箇所に形成されている請求項３または請求項４に記載の建具。
【請求項６】
前記第１枠形態または前記第２枠形態の枠材を四周枠組みして前記窓枠を形成する際に、前記複数の結合部から前記障子の見込み寸法に応じて選択した結合部に、前記枠室外部材、第１枠室内部材、枠連結部材のいずれかを結合して第１枠形態の框材を形成するか、または前記選択した結合部に前記枠室外部材、第２枠室内部材のいずれかを結合して第２枠形態の枠材を形成することで、当該窓枠が形成されている請求項５に記載の建具。
【請求項７】
前記枠室外部材と、前記第１枠室内部材と、前記枠連結部材と、前記第２枠室内部材とから選択し、前記枠室外部材と前記第１枠室内部材とを前記枠連結部材で連結した第１枠形態の枠材、または前記枠室外部材に前記第２枠室内部材を連結した第２枠形態の枠材のうち、いずれか一方の形態の枠材を有して形成された前記窓枠と、
前記框室外部材と、前記第１框室内部材と、前記框連結部材と、前記第２框室内部材とから選択し、前記框室外部材と前記第１框室内部材とを前記框連結部材で連結した第１框形態の框材、または前記框室外部材に前記第２框室内部材を連結した第２框形態の框材のうち、いずれか一方の形態の框材を有し、その内部にガラスパネルを嵌め込んで形成された前記障子と、を組み合わせて構成された請求項５または請求項６に記載の建具。
【発明の詳細な説明】
【技術分野】
【０００１】
本発明は、建具に関し、詳しくは、窓枠と、この窓枠内に支持される面材とを備えた建具に関する。
【背景技術】
【０００２】
従来、サッシ窓等の建具として、窓枠の枠材や障子の框材をアルミ形材等の金属材料からなる室内部材および室外部材と、これらの室内外の部材を連結する断熱部材とで構成された断熱サッシが一般的に利用されている（例えば、特許文献１参照）。このような断熱サッシにおいて、断熱部材は、通常、樹脂材料からなり、室内部材および室外部材の各々に形成された連結溝に挿入されるとともに、これらの連結溝をカシメてその端縁の突条部に係止されることで室内外の部材に結合されるようになっている。このような断熱サッシでは、断熱部材により室内外の熱伝導を抑制することで、冬場における室内面の結露を防止したり、室内空間の空調効率を向上させたりすることができるようになっている。
【０００３】
【特許文献１】特開平１０−８８４２号公報
【発明の開示】
【発明が解決しようとする課題】
【０００４】
しかしながら、前記特許文献１に記載されたような従来の断熱サッシでは、見込み寸法の異なる窓枠や障子の製品バリエーションごとに、枠材や框材のアルミ形材を設計し、その形材用の金型を起型するとともに、これらのアルミ形材に対応した断熱部材を成形しておく必要があり、設計から製造までの工程が長期化してしまうとともに、製造コストが高騰してしまうという問題がある。そして、製品バリエーションごとに非常に多種類のアルミ形材や断熱部材の部品をストックしておく必要があることから、これらの部品管理が煩雑になり、この点でも製造コストが増大してしまっている。
【０００５】
本発明の目的は、多様な製品バリエーションに容易に対応可能でかつ製造コストの大幅な低減を図ることができる建具を提供することにある。
【課題を解決するための手段】
【０００６】
本発明の建具は、複数の枠材から構成される枠体と、この枠体内に支持される障子とを備え、前記障子が面材と、この面材の周囲を支持する框材とを有して構成された建具であって、前記枠材および前記框材のうち少なくとも一方は、室外空間に露出する室外部材を有するとともに、前記室外部材よりも室内側に位置する第１室内部材、および当該第１室内部材と前記室外部材とを連結する連結部材を有した第１形態、または前記室外部材よりも室内側に位置して当該室外部材に連結される第２室内部材を有した第２形態のいずれか一方の形態で構成され、前記第１形態における室外部材および連結部材の一方には、他方を結合する結合部が見込み方向に互いに離隔した複数箇所に形成されるか、または当該第１形態における第１室内部材および連結部材の一方には、他方を結合する結合部が見込み方向に互いに離隔した複数箇所に形成され、前記第２形態における室外部材および第２室内部材の一方には、他方を結合する結合部が見込み方向に互いに離隔した複数箇所に形成されていることを特徴とする。
【０００７】
ここで、本発明の建具としては、障子がスライド開閉される引違い窓や片引き窓、上げ下げ窓等のサッシ窓であってもよく、また障子がスウィング開閉される開き窓や縦（横）辷出し窓、突出し窓、内倒し窓等のサッシ窓であってもよい。さらに本発明の建具としては、障子が枠体としての窓枠に開閉不能に支持された嵌め殺し窓であってもよい。
また、本発明の建具としては、障子や戸がスライド開閉される引違い戸や片引き戸等であってもよく、障子や戸がスウィング開閉される開き戸（ドア）であってもよい。
【０００８】
以上の本発明によれば、第１室内部材、室外部材および連結部材を有して第１形態の枠材や框材を構成した場合と、第２室内部材および室外部材を有して第２形態の枠材や框材を構成した場合との両方の場合において、共通の室外部材を用いるあるいは第１室内部材と第２室内部材とを同一部材から構成することができる。そして、室外部材、または室内部材あるいは連結部材に複数の結合部を形成したことで、これら複数の結合部から適宜選択して連結される他方の部材を結合するだけで、見込み寸法が異なる複数種類の枠材や框材を形成することができる。つまり、共通の室外部材と、共通の第１室内部材や連結部材または共通の第２室外部材とを用意しておくだけで、枠材や框材の形態（第１形態または第２形態）のみならず、異なる見込み寸法の枠材や框材を有した建具を構成することができる。
従って、多様な製品バリエーションを有した各種建具に対して枠材や框材の構成部品を共通化することができ、設計から製造までの工程の短期化や、製造コストおよび部品管理コストの低減を図ることができる。
【０００９】
また、本発明の建具は、複数の枠材から構成される枠体と、この枠体内に支持される面材とを備えた建具であって、前記枠材は、室外空間に露出する室外部材を有するとともに、
前記室外部材よりも室内側に位置する第１室内部材、および当該第１室内部材と前記室外部材とを連結する連結部材を有した第１形態、または前記室外部材よりも室内側に位置して当該室外部材に連結される第２室内部材を有した第２形態のいずれか一方の形態で構成され、前記第１形態における室外部材および連結部材の一方には、他方を結合する結合部が見込み方向に互いに離隔した複数箇所に形成されるか、または当該第１形態における第１室内部材および連結部材の一方には、他方を結合する結合部が見込み方向に互いに離隔した複数箇所に形成され、前記第２形態における室外部材および第２室内部材の一方には、他方を結合する結合部が見込み方向に互いに離隔した複数箇所に形成されたものでもよい。
このような構成によれば、面材としてのガラスパネル等が枠体としての窓枠に開閉不能に支持された嵌め殺し窓において、前述と略同様の効果を奏することができる。
【００１０】
この際、例えば、前記結合部を前記室外部材に形成することが好ましく、このように構成すれば、第１形態および第２形態の両形態の枠材や框材において、室外部材を共通化することができる。そして、枠材や框材において、室外部材が共通化されることで、見込み寸法を変更したとしても建具の外観が統一されるとともに、特に、障子の框材において室外部材の形態や枠との位置関係が共通化でき、この室外部材を用いた一般的な外タイトの気密構造を変更する必要がなくなることから、気密部材やその取付部品等も転用することができ、製造コストを一層低減させることができる。
【００１１】
また、以上の本発明において、前記室外部材および前記第１室内部材が金属製であり、前記連結部材および前記第２室内部材が樹脂製であることが好ましい。
このような構成によれば、金属製の室外部材および第１室内部材を樹脂製の連結部材で連結して第１形態の枠材や框材を形成するか、または金属製の室外部材に樹脂製の第２室内部材を結合して第２形態の枠材や框材を形成することで、連結部材または第２室内部材によって室内外の熱伝導が抑制され、冬場における室内面の結露を防止でき、かつ室内空間の空調効率に優れた建具が構成できる。そして、第１形態における樹脂製の連結部材や第２形態における樹脂製の第２室内部材を、室外部材における複数の結合部から適宜選択した結合部に結合することによって、見込み寸法が異なる枠材や框材を形成することができ、見込み寸法ごとに複数の連結部材や第２室内部材を用意する必要がなく、樹脂製部材成形用金型に要するコストや製造に要する手間や時間を低減することができる。
【００１２】
また、本発明の建具は、窓枠と、この窓枠内に支持される障子とを備えた建具であって、前記障子は、上框、下框、および左右の縦框からなる框材を四周框組みした内部にガラスパネルを嵌め込んで構成され、前記框材は、室外空間に露出する框室外部材を有するとともに、前記框室外部材よりも室内側に位置する第１框室内部材、および当該第１框室内部材と前記框室外部材とを連結する框連結部材を有した第１框形態、または前記框室外部材よりも室内側に位置して当該框室外部材に連結される第２框室内部材を有した第２框形態のいずれか一方の框形態で構成され、前記第１框形態における框室外部材および框連結部材の一方には、他方を結合する結合部が見込み方向に互いに離隔した複数箇所に形成されるか、または当該第１框形態における第１框室内部材および框連結部材の一方には、他方を結合する結合部が見込み方向に互いに離隔した複数箇所に形成され、前記第２框形態における框室外部材および第２框室内部材の一方には、他方を結合する結合部が見込み方向に互いに離隔した複数箇所に形成されていることを特徴とする。
【００１３】
以上の本発明によれば、第１框室内部材、框室外部材および框連結部材を有した第１框形態の框材から障子を構成した場合と、第２框室内部材および框室外部材を有した第２框形態の框材から障子を構成した場合との両方の場合において、共通の框室外部材を用いるあるいは第１框室内部材と第２框室内部材とを同一部材から構成することができる。そして、框室外部材、または框室内部材あるいは框連結部材に複数の結合部を形成したことで、これら複数の結合部から適宜選択して連結される他方の部材を結合するだけで、見込み寸法が異なる複数種類の障子を形成することができる。
従って、多様な製品バリエーションを有した各種建具に対して框材の構成部品を共通化することができ、設計から製造までの工程の短期化や、製造コストおよび部品管理コストの低減を図ることができる。
【００１４】
この際、本発明の建具では、単板ガラスと、合わせガラスと、複層ガラスとから選択した前記ガラスパネルを、前記第１框形態または前記第２框形態の框材を四周框組みした内部に嵌め込んで前記障子を形成する際に、前記複数の結合部から前記ガラスパネルの厚さ寸法に応じて選択した結合部に、前記框室外部材、第１框室内部材、框連結部材のいずれかを結合して第１框形態の框材を形成するか、または前記選択した結合部に前記框室外部材、第２框室内部材のいずれかを結合して第２框形態の框材を形成することで、当該障子が形成されることが好ましい。
このような構成によれば、適宜な形態のガラスパネルの厚さ寸法に応じて複数の結合部から適宜選択した結合部に、他方の部材を結合して障子を形成することで、框室外部材、第１框室内部材および框連結部材からなる各部材、または框室外部材および第２框室内部材からなる各部材を共通化しつつ、厚さ寸法の異なる複数種類のガラスパネルに対応して多様なバリエーションの障子を形成することができる。この際、ガラスパネルの厚さ寸法としては、単板ガラスの場合にはガラスの板厚寸法そのものであるが、合わせガラスや複層ガラスの場合には、最も室内側に位置するガラスの室内面から最も室外側に位置するガラスの室外面までの見込み寸法を意味する。
【００１５】
また、本発明の建具では、前記窓枠は、上枠、下枠、および左右の縦枠からなる枠材を四周枠組みして構成され、前記枠材は、室外空間に露出する枠室外部材を有するとともに、前記枠室外部材よりも室内側に位置する第１枠室内部材、および当該第１枠室内部材と前記枠室外部材とを連結する枠連結部材を有した第１枠形態、または前記枠室外部材よりも室内側に位置して当該枠室外部材に連結される第２枠室内部材を有した第２枠形態のいずれか一方の形態で構成され、前記第１枠形態における枠室外部材および枠連結部材の一方には、他方を結合する結合部が見込み方向に互いに離隔した複数箇所に形成されるか、または当該第１枠形態における第１枠室内部材および枠連結部材の一方には、他方を結合する結合部が見込み方向に互いに離隔した複数箇所に形成され、前記第２枠形態における枠室外部材および第２枠室内部材の一方には、他方を結合する結合部が見込み方向に互いに離隔した複数箇所に形成されていることが好ましい。
【００１６】
このような構成によれば、第１枠室内部材、枠室外部材および枠連結部材を有した第１枠形態の枠材から窓枠を構成した場合と、第２枠室内部材および枠室外部材を有した第２枠形態の枠材から窓枠を構成した場合との両方の場合において、共通の枠室外部材を用いるあるいは第１枠室内部材と第２枠室内部材とを同一部材から構成することができる。そして、枠室外部材、または枠室内部材あるいは枠連結部材に複数の結合部を形成したことで、これら複数の結合部から適宜選択して連結される他方の部材を結合するだけで、見込み寸法が異なる複数種類の窓枠を形成することができる。
従って、枠材の構成部品が共通化でき、設計、製造工程の短期化、およびコストの低減を一層促進させることができる。
【００１７】
この際、本発明の建具では、前記第１枠形態または前記第２枠形態の枠材を四周枠組みして前記窓枠を形成する際に、前記複数の結合部から前記障子の見込み寸法に応じて選択した結合部に、前記枠室外部材、第１枠室内部材、枠連結部材のいずれかを結合して第１枠形態の框材を形成するか、または前記選択した結合部に前記枠室外部材、第２枠室内部材のいずれかを結合して第２枠形態の枠材を形成することで、当該窓枠が形成されていることが好ましい。
このような構成によれば、障子の見込み寸法に応じて複数の結合部から適宜選択した結合部に、他方の部材を連結して窓枠を形成することで、枠室外部材、第１枠室内部材および枠連結部材からなる各部材、または枠室外部材および第２枠室内部材からなる各部材を共通化しつつ、見込み寸法の異なる複数種類の障子に対応して窓枠を形成することができる。
【００１８】
また、本発明の建具では、前記枠室外部材と、前記第１枠室内部材と、前記枠連結部材と、前記第２枠室内部材とから選択し、前記枠室外部材と前記第１枠室内部材とを前記枠連結部材で連結した第１枠形態の枠材、または前記枠室外部材に前記第２枠室内部材を連結した第２枠形態の枠材のうち、いずれか一方の形態の枠材を有して形成された前記窓枠と、前記框室外部材と、前記第１框室内部材と、前記框連結部材と、前記第２框室内部材とから選択し、前記框室外部材と前記第１框室内部材とを前記框連結部材で連結した第１框形態の框材、または前記框室外部材に前記第２框室内部材を連結した第２框形態の框材のうち、いずれか一方の形態の框材を有し、その内部にガラスパネルを嵌め込んで形成された前記障子と、を組み合わせて構成されることが好ましい。
【００１９】
このような構成によれば、枠室外部材と、第１枠室内部材と、枠連結部材と、第２枠室内部材とを用意しておき、これらの各部材から適宜選択して複数形態かつ見込み寸法の異なる窓枠を形成するとともに、框室外部材と、第１框室内部材と、框連結部材と、第２框室内部材とを用意しておき、これらの各部材から適宜選択して複数形態かつ見込み寸法の異なる障子を形成し、これらの窓枠と障子とを組み合わせることで、短期間かつ低コストで多種多様な建具を設計、製造することができる。
【発明を実施するための最良の形態】
【００２０】
以下、本発明の各実施形態を図面に基づいて説明する。
なお、第２実施形態以降において、次の第１実施形態で説明する構成部材と同じ構成部材、および同様な機能を有する構成部材には、第１実施形態の構成部材と同じ符号を付し、それらの説明を省略または簡略化する。
【００２１】
〔第１実施形態〕
図１は、本発明の第１実施形態に係る建具である引違い窓１を示す横断面図である。図２は、引違い窓１の下部を拡大して示す縦断面図である。
図１および図２において、引違い窓１は、戸建て住宅等の建物の外壁開口部に設けられて建物の室内空間と室外空間とを仕切る建具であり、上枠（不図示）、下枠１２、および左右の縦枠１３からなる枠材を四周枠組みした窓枠（枠体）１０と、この窓枠１０の内側に左右スライド開閉自在に支持された室内外一対の障子２０（室内側障子２０Ａおよび室外側障子２０Ｂ）とを備えて構成されている。上枠、下枠１２および縦枠１３は、それぞれアルミ形材製の枠室内部材１２Ａ，１３Ａおよび枠室外部材１２Ｂ，１３Ｂと、これらを連結する樹脂製の断熱部材１２Ｃ，１３Ｃとを有して構成されている。すなわち、窓枠１０は、上枠、下枠１２および縦枠１３が枠室内部材１２Ａ，１３Ａ、枠室外部材１２Ｂ，１３Ｂ、および断熱部材１２Ｃ，１３Ｃを有した断熱窓枠である。
【００２２】
障子２０は、上框（不図示）、下框２２、および左右の縦框２３，２４（または縦框２５，２６）からなる框材を四周框組みした内部に、複層ガラスからなるガラスパネル（面材）２７を嵌め込んで構成されている。室内外の障子２０Ａ，２０Ｂは、それぞれ戸先框である縦框２３，２６を縦枠１３に当接するとともに、召合せ框である縦框２４，２５が見込み方向に重なって閉じるようになっている。上框、下框２２および縦框２３，２５，２６は、それぞれ室外空間に露出するアルミ形材製の框室外部材２２Ａ，２３Ａ，２５Ａ，２６Ａと、これらの框室外部材２２Ａ，２３Ａ，２５Ａ，２６Ａの室内側に位置する樹脂製の框室内部材２２Ｂ，２３Ｂ，２５Ｂ，２６Ｂとを有して構成されている。また、室外側障子２０Ｂにおける室外側召合せ框である縦框２４は、アルミ形材から一体に形成されている。すなわち、障子２０は、上框、下框２２および縦框２３，２５，２６が框室外部材２２Ａ，２３Ａ，２５Ａ，２６Ａ、および框室内部材（第２框室内部材）２２Ｂ，２３Ｂ，２５Ｂ，２６Ｂからなる第２框形態の框材を有して形成されたものである。なお、框室内部材２２Ｂ，２３Ｂ，２５Ｂ，２６Ｂは、樹脂製のものに限らず、木製や合成木製であってもよい。
【００２３】
以上の引違い窓１において、障子２０を構成する第２框形態の框材の詳細について、図２に示す下框２２を例に説明する。なお、上框および縦框２３，２５，２６は、下框２２と同様の構成を有しているため、その説明を省略する。
第２框形態の框材である下框２２の框室外部材２２Ａは、室外空間に露出して配置されるとともに、ガラスパネル２７を室外側から支持する面材支持片２２１と、框室内部材２２Ｂを支持するための上下２箇所の凹溝部２２２とを有して形成されている。框室内部材２２Ｂは、ガラスパネル２７を室内側から支持する面材支持片２２３と、室外側に突出して形成されて框室外部材２２Ａの凹溝部２２２に結合される上下２箇所の被結合部２２４とを有して形成されている。一方、框室外部材２２Ａにおける上下２箇所の凹溝部２２２の内部には、それぞれ被結合部２２４の先端を挟持して結合する結合部２２５が、見込み方向に互いに離隔した２箇所に形成されている。そして、框室内部材２２Ｂの被結合部２２４は、その先端の拡大部が２箇所の結合部２２５のうちの室外側の結合部２２５に結合されている。また、ガラスパネル２７は、ガスケット２７１を介して框室外部材２２Ａおよび框室内部材２２Ｂの面材支持片２２１，２２３間に挟持されることで、下框２２に保持されるようになっている。
【００２４】
次に、本実施形態における引違い窓１の他の形態を図３および図４に基づいて説明する。
図３は、本実施形態における他の形態の引違い窓１Ａを示す横断面図である。図２は、引違い窓１Ａの下部を拡大して示す縦断面図である。
引違い窓１Ａは、前記引違い窓１と同一の窓枠１０および見込み寸法の異なる障子２０Ｃ（室内側障子２０Ｄおよび室外側障子２０Ｅ）を備えて構成されている。すなわち、障子２０Ｃは、前記ガラスパネル２７よりも厚さ寸法の大きいガラスパネル２７Ａと、前記障子２０の上框、下框２２および縦框２３，２４，２５，２６と共通の部材から構成されかつ見込み寸法が大きく形成された第２框形態の框材である上框（不図示）、下框２２Ｃおよび縦框２３Ｃ，２５Ｃ，２６Ｃとを有して構成されている。また、縦框２４Ｃは、前記縦框２４よりも見込み寸法が大きく形成されたアルミ形材の一体成形部材である。
【００２５】
障子２０Ｃを構成する第２框形態の框材について、図４に示す下框２２Ｃを参照して説明する。なお、上框および縦框２３Ｃ，２５Ｃ，２６Ｃは、下框２２Ｃと同様の構成を有しているため、その説明を省略する。
下框２２Ｃは、前記下框２２と同一の框室外部材２２Ａおよび框室内部材２２Ｂを有し、この框室内部材２２Ｂにおける被結合部２２４の先端拡大部が、框室外部材２２Ａにおける凹溝部２２２の２箇所の結合部２２５のうち、室内側の結合部２２５に結合されている。従って、下框２２Ｃにおける面材支持片２２１，２２３間の間隔寸法が前記下框２２の場合よりも大きくなり、これにより厚さ寸法の大きいガラスパネル２７Ａが下框２２Ｃに保持されるようになっている。
【００２６】
なお、以上の本実施形態では、上框、下框２２および縦框２３，２５，２６の各框材が、アルミ形材製の框室外部材２２Ａ，２３Ａ，２５Ａ，２６Ａに、樹脂製の框室内部材（第１框室内部材）２２Ｂ，２３Ｂ，２５Ｂ，２６Ｂを連結した第２框形態で構成されていたが、各框材が、それぞれアルミ形材製の框室外部材と第１框室内部材とを樹脂製の框連結部材で連結した第１框形態で構成されていてもよい。このような第１框形態で構成した框材において、框室外部材、第１框室内部材または框連結部材に複数の結合部を形成し、これらの結合部から選択して各部材を連結することで、各框材の見込み寸法を適宜設定可能に構成しておくことが好ましい。
さらに、本実施形態では、上枠、下枠１２および縦枠１３の各枠材が、アルミ形材製の枠室内部材１２Ａ，１３Ａと枠室外部材１２Ｂ，１３Ｂとを樹脂製の断熱部材１２Ｃ，１３Ｃで連結した構成とされていたが、各枠材が一体のアルミ形材製であってもよく、また各枠材が、それぞれアルミ形材製の枠室外部材と第１枠室内部材とを樹脂製の枠連結部材で連結した第１枠形態で構成されていてもよく、さらに各枠材がアルミ形材製の枠室外部材に樹脂製や木製の第２枠室内部材を連結した第２枠形態で構成されていてもよい。このような第１枠形態または第２形態の枠材において、枠室外部材や、第１枠室内部材、枠連結部材、第２枠室内部材に複数の結合部を形成し、これらの結合部から選択して各部材を連結することで、枠材の見込み寸法が適宜設定可能に構成されていてもよく、また、各部材が所定位置のみで結合される構成であってもよい。
【００２７】
このような本実施形態によれば、以下のような効果がある。
（１）すなわち、框室外部材２２Ａ（２３Ａ，２５Ａ，２６Ａ）に室内外２箇所の結合部２２５が形成され、これらの結合部２２５のいずれかに框室内部材２２Ｂ（２３Ｂ，２５Ｂ，２６Ｂ）が結合されることで、見込み寸法が異なる下框２２，２２Ｃ（および上框、縦框２３，２５，２６，２３Ｃ，２５Ｃ，２６Ｃ）を形成することができる。従って、框室外部材２２Ａ（２３Ａ，２５Ａ，２６Ａ）および框室内部材２２Ｂ（２３Ｂ，２５Ｂ，２６Ｂ）を共通化しつつ、見込み寸法が異なる障子２０，２０Ｃを有した引違い窓１，１Ａを構成することができ、設計から製造までの工程の短期化や、製造コストおよび部品管理コストの低減を図ることができる。
【００２８】
（２）そして、金属製の框室外部材２２Ａ（２３Ａ，２５Ａ，２６Ａ）に樹脂製の框室内部材２２Ｂ（２３Ｂ，２５Ｂ，２６Ｂ）を結合して第２形態の框材が形成されているので、框室内部材２２Ｂ（２３Ｂ，２５Ｂ，２６Ｂ）によって室内外の熱伝導が抑制され、冬場における室内面の結露を防止できるとともに、室内空間の空調効率に優れた引違い窓１，１Ａが構成できる。
【００２９】
（３）さらに、障子２０，２０Ｃにおいて、金属製の框室外部材２２Ａ（２３Ａ，２５Ａ，２６Ａ）、および樹脂製の框室内部材２２Ｂ（２３Ｂ，２５Ｂ，２６Ｂ）がそれぞれ共通化されているので、見込み寸法ごとに複数のアルミ形材や樹脂成形部材を用意する必要がなく、アルミ形材用金型や樹脂成形部材用金型に要するコストを低減し、それらの製造に要する手間や時間をも削減することができる。
【００３０】
（４）また、ガラスパネル２７，２７Ａの厚さ寸法に応じて２箇所の結合部２２５のうちの適合する側に、框室内部材２２Ｂ（２３Ｂ，２５Ｂ，２６Ｂ）の被結合部２２４を結合するだけで、面材支持片２２１，２２３間の間隔寸法が変更でき、厚さ寸法の異なるガラスパネル２７，２７Ａに対応した障子２０，２０Ｃを容易に形成することができる。
【００３１】
〔第２実施形態〕
次に、本発明の第２実施形態を図５に基づいて説明する。
図５(Ａ)，(Ｂ)は、本発明の第２実施形態に係る建具である開き窓２の要部を示す横断面図である。
本実施形態の開き窓２は、窓枠３０と、この窓枠３０に開閉自在に支持された障子４０とを備えて構成されている。窓枠３０は、上枠（不図示）、下枠（不図示）、および左右の縦枠３３からなる枠材を四周枠組みして構成され、これらの上枠、下枠、および縦枠３３は、それぞれ室外空間に露出するアルミ形材製の枠室外部材３３Ａと、この枠室外部材３３Ａよりも室内側に位置するアルミ形材製の枠室内部材（第１枠室内部材）３３Ｂと、これらの枠室外部材３３Ａと枠室内部材３３Ｂとを連結する樹脂製の枠連結部材３３Ｃとを有して形成されている。また、障子４０は、上框（不図示）、下框（不図示）、および左右の縦框４３からなる框材を四周框組みした内部にガラスパネル４７，４７Ａを嵌め込んで構成され、これらの上框、下框、および縦框４３は、それぞれ室外空間に露出するアルミ形材製の框室外部材４３Ａと、この框室外部材４３Ａよりも室内側に位置するアルミ形材製の框室内部材（第１框室内部材）４３Ｂと、これらの框室外部材４３Ａと框室内部材４３Ｂとを連結する樹脂製の框連結部材４３Ｃとを有して形成されている。すなわち、窓枠３０は、第１枠形態の枠材を有して構成され、障子４０は、第１框形態の框材を有して構成されている。
【００３２】
以上の開き窓２において、窓枠３０を構成する第１枠形態の枠材および障子４０を構成する第１框形態の框材の詳細について、図５に示す縦枠３３および縦框４３を例に説明する。なお、上枠および下枠と、上框および下框は、それぞれ縦枠３３および縦框４３と同様の構成を有しているため、その説明を省略する。
第１枠形態の枠材である縦枠３３の枠室外部材３３Ａは、縦框４３の框室外部材４３Ａに当接する気密材を保持する気密材保持部３３１と、枠連結部材３３Ｃの室外側端部を結合するための凹溝部３３２とを有して形成されている。枠室内部材３３Ｂは、縦框４３の框室内部材４３Ｂに当接する気密材を保持する気密材保持部３３３と、枠連結部材３３Ｃの室内側端部を結合する結合部３３４とを有して形成されている。そして、枠室外部材３３Ａにおける凹溝部３３２の内部には、枠連結部材３３Ｃの室外側端部を挟持して結合する結合部３３５が、見込み方向に互いに離隔した２箇所に形成されている。
【００３３】
以上のような縦枠３３は、図５(Ａ)に示すように、枠連結部材３３Ｃの室外側端部の拡大部が枠室外部材３３Ａの２箇所の結合部３３５のうちの室外側の結合部３３５に結合されたものと、図５(Ｂ)に示すように、枠連結部材３３Ｃの室外側端部の拡大部が枠室外部材３３Ａの２箇所の結合部３３５のうちの室内側の結合部３３５に結合さたものと、の互いに見込み寸法が異なる２つのタイプが構成可能になっている。すなわち、図５(Ａ)に示すような見込み寸法が小さい縦枠３３と、図５(Ｂ)に示すような見込み寸法が大きい縦枠３３とが、それぞれ共通部材である枠室外部材３３Ａ、枠室内部材３３Ｂ、および枠連結部材３３Ｃから構成可能になっている。
【００３４】
一方、第１框形態の框材である縦框４３の框室外部材４３Ａは、ガラスパネル４７，４７Ａを室外側から支持する面材支持片４３１と、框連結部材４３Ｃの室外側端部を結合するための左右２箇所の凹溝部４３２とを有して形成されている。框室内部材４３Ｂは、ガラスパネル４７，４７Ａを室内側から支持する面材支持片４３３と、框連結部材４３Ｃの室内側端部を結合する左右２箇所の結合部４３４とを有して形成されている。そして、框室外部材４３Ａにおける左右２箇所の凹溝部４３２の内部には、それぞれ框連結部材４３Ｃの室外側端部を挟持して結合する結合部４３５が、見込み方向に互いに離隔した２箇所に形成されている。また、ガラスパネル４７，４７Ａは、ガスケット４７１を介して框室外部材４３Ａおよび框室内部材４３Ｂの面材支持片４３１，４３３間に挟持されることで、縦框４３に保持されるようになっている。
【００３５】
以上のような縦框４３は、図５(Ａ)に示すように、框連結部材４３Ｃの室外側端部の拡大部が框室外部材４３Ａの２箇所の結合部４３５のうちの室外側の結合部４３５に結合されたものと、図５(Ｂ)に示すように、框連結部材４３Ｃの室外側端部の拡大部が框室外部材４３Ａの２箇所の結合部４３５のうちの室内側の結合部４３５に結合さたものと、の互いに見込み寸法が異なる２つのタイプが構成可能になっている。すなわち、図５(Ａ)に示すような見込み寸法が小さい縦框４３と、図５(Ｂ)に示すような見込み寸法が大きい縦框４３とが、それぞれ共通部材である框室外部材４３Ａ、框室内部材４３Ｂ、および框連結部材４３Ｃから構成可能になっている。そして、図５(Ａ)に示す見込み寸法が小さい縦框４３には、室内側のガラスが単板ガラスからなる厚さ寸法の小さい複層ガラスであるガラスパネル４７が保持され、図５(Ｂ)に示す見込み寸法が大きい縦框４３には、室内側のガラスが網入りガラスからなる厚さ寸法の大きい複層ガラスであるガラスパネル４７Ａが保持されるようになっている。
【００３６】
なお、以上の本実施形態では、上框、下框および縦框４３の各框材が、それぞれアルミ形材製の框室外部材４３Ａと框室内部材（第１框室内部材）４３Ｂとを樹脂製の框連結部材４３Ｃで連結した第１框形態で構成されていたが、各框材が、アルミ形材製の框室外部材に樹脂製の框室内部材（第２框室内部材）を連結した第２框形態で構成されていてもよい。このような第２框形態で構成した框材において、框室外部材または第２框室内部材に複数の結合部を形成し、これらの結合部から選択して各部材を連結することで、各框材の見込み寸法を適宜設定可能に構成しておくことが好ましい。
さらに、本実施形態では、上枠、下枠および縦枠３３の各枠材が、それぞれアルミ形材製の枠室外部材３３Ａと枠室内部材（第１枠室内部材）３３Ｂとを樹脂製の枠連結部材３３Ｃで連結した第１枠形態で構成されていたが、各枠材が一体のアルミ形材製であってもよく、また各枠材が第２枠形態で構成されていてもよい。
【００３７】
このような本実施形態によれば、第１枠形態の枠材を有して窓枠３０を構成するとともに、第１框形態の框材を有して障子４０を構成した場合でも、前記第１実施形態における効果と略同様の効果を奏することができる。
【００３８】
〔第３実施形態〕
次に、本発明の第３実施形態を図６〜図８に基づいて説明する。
図６(Ａ)，(Ｂ)〜図８(Ａ)，(Ｂ)は、それぞれ本発明の第３実施形態に係る建具であるドア３Ａ，３Ｂ，３Ｃの要部を示す横断面図である。
図６〜図８において、本実施形態のドア３Ａ，３Ｂ，３Ｃは、枠体としてのドア枠５０と、このドア枠５０に開閉自在に支持された障子６０（面材である扉）とを備えて構成されている。ドア枠５０は、上枠（不図示）、下枠（不図示）、および左右の縦枠５３からなる枠材を四周枠組みして構成されている。また、障子６０は、上框（不図示）、下框（不図示）、および左右の縦框６３からなる框材を四周框組みした内部にガラスパネル６７，６７Ａを嵌め込んで構成され、ヒンジ５５を介してドア枠５０に支持されている。そして、図６〜図８に示すドア３Ａ，３Ｂ，３Ｃは、それぞれ枠材や框材の構成が相違するものであり、以下、相違点について詳しく説明する。
【００３９】
図６に示すドア３Ａのドア枠５０において、上枠、下枠、および縦枠５３は、それぞれアルミ形材製で一体成形されたものであり、その室内側端部には、障子６０の框材に当接する気密材が取り付けられている。
ドア３Ａの障子６０において、上框、下框、および縦框６３は、それぞれ室外空間に露出するアルミ形材製の框室外部材６３Ａと、この框室外部材６３Ａよりも室内側に位置するアルミ形材製の框室内部材（第１框室内部材）６３Ｂと、これらの框室外部材６３Ａと框室内部材６３Ｂとを連結する樹脂製の框連結部材６３Ｃとを有して形成されている。
すなわち、ドア３Ａにおいて、障子６０は、第１框形態の框材を有して構成されている。
【００４０】
以上のドア３Ａにおいて、障子６０を構成する第１框形態の框材の詳細について、図６に示す縦框６３を例に説明する。なお、上框および下框は、縦框６３と同様の構成を有しているため、その説明を省略する。
第１框形態の框材である縦框６３の框室外部材６３Ａは、ガラスパネル６７，６７Ａを室外側から支持する面材支持片６３１と、框連結部材６３Ｃの室外側端部を結合するための左右２箇所の凹溝部６３２とを有して形成されている。框室内部材６３Ｂは、ガラスパネル６７，６７Ａを室内側から支持する面材支持片６３３と、框連結部材６３Ｃの室内側端部を結合する左右２箇所の結合部６３４とを有して形成されている。そして、框室外部材６３Ａにおける左右２箇所の凹溝部６３２の内部には、それぞれ框連結部材６３Ｃの室外側端部を挟持して結合する結合部６３５が、見込み方向に互いに離隔した２箇所に形成されている。また、ガラスパネル６７，６７Ａは、ガスケット６７１を介して框室外部材６３Ａおよび框室内部材６３Ｂの面材支持片６３１，６３３間に挟持されることで、縦框６３に保持されるようになっている。
【００４１】
以上のような縦框６３は、図６(Ａ)に示すように、框連結部材６３Ｃの室外側端部の拡大部が框室外部材６３Ａの２箇所の結合部６３５のうちの室外側の結合部６３５に結合されたものと、図６(Ｂ)に示すように、框連結部材６３Ｃの室外側端部の拡大部が框室外部材６３Ａの２箇所の結合部６３５のうちの室内側の結合部６３５に結合さたものと、の互いに見込み寸法が異なる２つのタイプが構成可能になっている。すなわち、図６(Ａ)に示すような見込み寸法が小さい縦框６３と、図６(Ｂ)に示すような見込み寸法が大きい縦框６３とが、それぞれ共通部材である框室外部材６３Ａ、框室内部材６３Ｂ、および框連結部材６３Ｃから構成可能になっている。そして、図６(Ａ)に示す見込み寸法が小さい縦框６３には、室内側のガラスが単板ガラスからなる厚さ寸法の小さい複層ガラスであるガラスパネル６７が保持され、図６(Ｂ)に示す見込み寸法が大きい縦框６３には、室内側のガラスが網入りガラスからなる厚さ寸法の大きい複層ガラスであるガラスパネル６７Ａが保持されるようになっている。また、図６(Ａ)に示す見込み寸法が小さい障子６０は、図６(Ｂ)に示す見込み寸法が大きい障子６０よりも、ガラスパネル６７，６７Ａの厚さ寸法の差の分だけ室内寄りに支持されており、両方の障子６０とドア枠５０の気密材とが同一位置で当接するようになっている。
【００４２】
なお、図６において、上框、下框および縦框６３の各框材が、それぞれアルミ形材製の框室外部材６３Ａと框室内部材（第１框室内部材）６３Ｂとを樹脂製の框連結部材６３Ｃで連結した第１框形態で構成されていたが、各框材が、アルミ形材製の框室外部材に樹脂製や木製の框室内部材（第２框室内部材）を連結した第２框形態で構成されていてもよい。さらに、上枠、下枠および縦枠５３の各枠材が、一体のアルミ形材製であったが、各枠材が、それぞれアルミ形材製の枠室外部材と枠室内部材（第１枠室内部材）とを樹脂製の枠連結部材で連結した第１枠形態、またはアルミ形材製の枠室外部材に樹脂製や木製の枠室内部材（第２枠室内部材）を連結した第２枠形態で構成されていてもよい。
【００４３】
次に、図７に示すドア３Ｂのドア枠５０において、上枠、下枠、および縦枠５３は、それぞれ室外空間に露出するアルミ形材製の枠室外部材５３Ａと、この枠室外部材５３Ａよりも室内側に位置するアルミ形材製の枠室内部材（第１枠室内部材）５３Ｂと、これらの枠室外部材５３Ａと枠室内部材５３Ｂとを連結する樹脂製の枠連結部材５３Ｃとを有して形成されている。
ドア３Ｂの障子６０において、上框、下框、および縦框６３は、それぞれ前記ドア３Ａの障子６０と同一の構成を有して形成されている。
すなわち、ドア３Ｂにおいて、ドア枠５０は、第１枠形態の枠材を有して構成され、障子６０は、第１框形態の框材を有して構成されている。
【００４４】
以上のドア３Ｂにおいて、ドア枠５０を構成する第１枠形態の枠材の詳細について、図７に示す縦枠５３を例に説明する。なお、上枠および下枠は、縦枠５３と同様の構成を有しているため、その説明を省略する。
第１枠形態の枠材である縦枠５３の枠室外部材５３Ａは、枠連結部材５３Ｃの室外側端部を結合するための凹溝部５３２とを有して形成されている。枠室内部材５３Ｂは、枠連結部材５３Ｃの室内側端部を結合する結合部５３４とを有して形成されている。そして、枠室外部材５３Ａにおける凹溝部５３２の内部には、枠連結部材５３Ｃの室外側端部を挟持して結合する結合部５３５が、見込み方向に互いに離隔した２箇所に形成されている。
【００４５】
以上のような縦枠５３は、図７(Ａ)に示すように、枠連結部材５３Ｃの室外側端部の拡大部が枠室外部材５３Ａの２箇所の結合部５３５のうちの室外側の結合部５３５に結合されたものと、図７(Ｂ)に示すように、枠連結部材５３Ｃの室外側端部の拡大部が枠室外部材５３Ａの２箇所の結合部５３５のうちの室内側の結合部５３５に結合さたものと、の互いに見込み寸法が異なる２つのタイプが構成可能になっている。すなわち、図７(Ａ)に示すような見込み寸法が小さい縦枠５３と、図７(Ｂ)に示すような見込み寸法が大きい縦枠５３とが、それぞれ共通部材である枠室外部材５３Ａ、枠室内部材５３Ｂ、および枠連結部材５３Ｃから構成可能になっている。また、図７(Ａ)に示す見込み寸法が小さいドア枠５０には、見込み寸法が小さい障子６０が支持され、図７(Ｂ)に示す見込み寸法が大きいドア枠５０には、見込み寸法が大きい障子６０が支持されるようになっている。
【００４６】
なお、図７において、上框、下框および縦框６３の各框材が、それぞれアルミ形材製の框室外部材６３Ａと框室内部材（第１框室内部材）６３Ｂとを樹脂製の框連結部材６３Ｃで連結した第１框形態で構成されていたが、各框材が、アルミ形材製の框室外部材に樹脂製の框室内部材（第２框室内部材）を連結した第２框形態で構成されていてもよい。さらに、上枠、下枠および縦枠５３の各枠材が、それぞれアルミ形材製の枠室外部材５３Ａと枠室内部材（第１枠室内部材）５３Ｂとを樹脂製の枠連結部材５３Ｃで連結した第１枠形態で構成されていたが、各枠材が一体のアルミ形材製であってもよく、また各枠材が第２枠形態で構成されていてもよい。
【００４７】
次に、図８に示すドア３Ｃのドア枠５０において、上枠、下枠、および縦枠５３は、それぞれ室外空間に露出するアルミ形材製の枠室外部材５３Ａと、この枠室外部材５３Ａよりも室内側に位置して枠室外部材５３Ａに連結される樹脂製の枠室内部材（第２枠室内部材）５３Ｄとを有して形成されている。
ドア３Ｃの障子６０において、上框、下框、および縦框６３は、それぞれ室外空間に露出するアルミ形材製の框室外部材６３Ａと、この框室外部材６３Ａよりも室内側に位置して框室外部材６３Ａに連結される樹脂製の框室内部材（第２框室内部材）６３Ｄとを有して形成されている。
すなわち、ドア３Ｃにおいて、ドア枠５０は、第２枠形態の枠材を有して構成され、障子６０は、第２框形態の框材を有して構成されている。
【００４８】
以上のドア３Ｃにおいて、ドア枠５０を構成する第２枠形態の枠材および框材の詳細について、図８に示す縦枠５３および縦框６３を例に説明する。なお、上枠および下枠と、上框および下框とは、縦枠５３および縦框６３と同様の構成を有しているため、その説明を省略する。
第２枠形態の枠材である縦枠５３の枠室外部材５３Ａは、前述のドア３Ｂにおける枠室外部材５３Ａと同一の構成を有して形成されている。枠室内部材５３Ｄは、枠室外部材５３Ａにおける凹溝部５３２の結合部５３５に結合される被結合部５３６を有して形成されている。
以上のような縦枠５３は、図８(Ａ)に示すように、枠室内部材５３Ｄの被結合部５３６先端の拡大部が枠室外部材５３Ａの２箇所の結合部５３５のうちの室外側の結合部５３５に結合されたものと、図８(Ｂ)に示すように、枠室内部材５３Ｄの被結合部５３６先端の拡大部が枠室外部材５３Ａの２箇所の結合部５３５のうちの室内側の結合部５３５に結合さたものと、の互いに見込み寸法が異なる２つのタイプが構成可能になっている。すなわち、図８(Ａ)に示すような見込み寸法が小さい縦枠５３と、図８(Ｂ)に示すような見込み寸法が大きい縦枠５３とが、それぞれ共通部材である枠室外部材５３Ａおよび枠室内部材５３Ｄから構成可能になっている。
【００４９】
第１框形態の框材である縦框６３の框室外部材６３Ａは、前述のドア３Ａ，３Ｂにおける框室外部材６３Ａと同一の構成を有して形成されている。框室内部材６３Ｄは、ガラスパネル６７，６７Ａを室内側から支持する面材支持片６３６と、室外側に突出して框室外部材６３Ａにおける凹溝部６３２の結合部６３５に結合される左右２箇所の被結合部６３７とを有して形成されている。そして、ガラスパネル６７，６７Ａは、ガスケット６７１を介して框室外部材６３Ａおよび框室内部材６３Ｄの面材支持片６３１，６３６間に挟持されることで、縦框６３に保持されるようになっている。
以上のような縦框６３は、図８(Ａ)に示すように、框室内部材６３Ｄの被結合部６３７先端の拡大部が框室外部材６３Ａの２箇所の結合部６３５のうちの室外側の結合部６３５に結合されたものと、図８(Ｂ)に示すように、框室内部材６３Ｄの被結合部６３７先端の拡大部が框室外部材６３Ａの２箇所の結合部６３５のうちの室内側の結合部６３５に結合さたものと、の互いに見込み寸法が異なる２つのタイプが構成可能になっている。すなわち、図８(Ａ)に示すような厚さ寸法の小さいガラスパネル６７を保持する見込み寸法が小さい縦框６３と、図８(Ｂ)に示すような厚さ寸法の大きいガラスパネル６７Ａを保持する見込み寸法が大きい縦框６３とが、それぞれ共通部材である框室外部材６３Ａおよび框室内部材６３Ｄから構成可能になっている。
【００５０】
なお、図８において、上框、下框および縦框６３の各框材が、アルミ形材製の框室外部材６３Ａに樹脂製の框室内部材（第２框室内部材）６３Ｂを連結した第２框形態で構成されていたが、各框材が、それぞれアルミ形材製の框室外部材と框室内部材（第１框室内部材）とを樹脂製の框連結部材で連結した第１框形態で構成されていてもよい。さらに、上枠、下枠および縦枠５３の各枠材が、アルミ形材製の枠室外部材５３Ａに樹脂製の枠室内部材（第２枠室内部材）５３Ｄを連結した第２枠形態で構成されていたが、各枠材が一体のアルミ形材製であってもよく、また各枠材が第１枠形態で構成されていてもよい。
【００５１】
このような本実施形態によれば、第１枠形態または第２枠形態の枠材を有して窓枠５０を構成するとともに、第１框形態または第２框形態の框材を有して障子６０を構成した場合でも、前記第１実施形態における効果と略同様の効果を奏することができる。さらに、本実施形態によれば、以下の効果が得られる。
（５）すなわち、共通の枠室外部材５３Ａを用い、この枠室外部材５３Ａに枠連結部材５３Ｃを介して枠室内部材５３Ｂを結合するか、または枠室外部材５３Ａに枠室内部材５３Ｄを結合するかが選択可能になるため、部品点数の増加を抑制しつつ、ドア枠５０の製品バリエーションを容易に増やすことができる。また、共通の框室外部材６３Ａを用い、この框室外部材６３Ａに框連結部材６３Ｃを介して框室内部材６３Ｂを結合するか、または框室外部材６３Ａに框室内部材６３Ｄを結合するかが選択可能になるため、部品点数の増加を抑制しつつ、障子６０の製品バリエーションを容易に増やすことができる。
【００５２】
（６）さらに、多様な製品バリエーションを有するドア枠５０と障子６０とを組み合わせることで、ドア３Ａ，３Ｂ，３Ｃのバリエーションも飛躍的に増加させることができるとともに、このように多種多様なドア３Ａ，３Ｂ，３Ｃを設計、製造する際の工程を短期化でき、かつ低コストで製造することができる。
【００５３】
なお、本発明は、前記実施形態に限定されるものではなく、本発明の目的を達成できる他の構成等を含み、以下に示すような変形等も本発明に含まれる。
例えば、前記実施形態においては、引違い窓１、開き窓２およびドア３Ａ，３Ｂ，３Ｃを例示して説明したが、本発明の建具はこれらに限られない。すなわち、本発明の建具は、片引き窓、上げ下げ窓、縦（横）辷出し窓、突出し窓、内倒し窓等のサッシ窓であってもよく、また、引違い戸や片引き戸等であってもよい。
さらに、枠体（窓枠１０，３０）に支持される面材としては、前記障子２０，４０，６０に限らず、ガラスパネル等の単一のパネル材から構成されていてもよい。すなわち、枠体が室外部材と第１室内部材および連結部材とを有した第１枠形態で構成されるか、または枠体が室外部材と第２室内部材を有した第２枠形態で構成されるとともに、この枠体の室外部材に見込み方向に互いに離隔した複数の結合部が形成されていれば、面材の構成は特に限定されない。
【００５４】
また、前記第１実施形態の引違い窓１（図１〜図４）および第３実施形態のドア３Ｃ（図８）では、第２枠形態または第２框形態において、第２室内部材を樹脂製としたが、これに限らず、図９に示すように、金属製（アルミ形材製）の第２室内部材を用いてもよい。
すなわち、図９(Ａ)，(Ｂ)には、本発明の変形例に係る建具としての引違い窓１Ｂの下部を拡大して示す縦断面図が示され、この引違い窓１Ｂを構成する障子７０（室内側障子７０Ａおよび室外側障子７０Ｂ）の框材（室内側の下框７１および室外側の下框７２）として、第２框形態の框材を適用した例が示されている。
【００５５】
引違い窓１Ｂにおいて、障子７０の下框７１，７２は、それぞれアルミ形材製の框室外部材７１Ａ，７２Ａと、これらの框室外部材７１Ａ，７２Ａの室内側に位置するアルミ形材製の框室内部材７１Ｂ，７２Ｂとを有して構成されている。框室外部材７１Ａ，７２Ａには、ガラスパネル７７，７７Ａを室外側から支持する面材支持片７１１，７２１と、框室内部材７１Ｂ，７２Ｂを支持するための上下２箇所の凹溝部７１２，７２２とを有して形成されている。框室内部材７１Ｂ，７２Ｂは、ガラスパネル７７，７７Ａを室内側から支持する面材支持片７１３，７２３と、室外側に突出して形成されて框室外部材７１Ａ，７２Ａの凹溝部７１２，７２２に結合される上下２箇所の被結合部７１４，７２４とを有して形成されている。一方、框室外部材７１Ａ，７２Ａにおける上下２箇所の凹溝部７１２，７２２の内部には、それぞれ被結合部７１４，７２４の先端を挟持して結合する結合部７１５，７２５が、見込み方向に互いに離隔した２箇所に形成されている。
【００５６】
そして、下框７１，７２は、図９(Ａ)に示すように、框室内部材７１Ｂ，７２Ｂの被結合部７１４，７２４先端の拡大部が２箇所の結合部７１５，７２５のうちの室外側の結合部２２５に結合されたものと、図９(Ｂ)に示すように、框室内部材７１Ｂ，７２Ｂの被結合部７１４，７２４先端の拡大部が２箇所の結合部７１５，７２５のうちの室内側の結合部２２５に結合されたものと、の互いに見込み寸法が異なる２つのタイプが構成可能になっている。そして、図９(Ａ)に示す見込み寸法が小さい下框７１，７２には、単板ガラスからなる厚さ寸法の小さいガラスパネル７７が保持され、図９(Ｂ)に示す見込み寸法が大きい下框７１，７２には、複層ガラスからなる厚さ寸法の大きいガラスパネル７７Ａが保持されるようになっている
【００５７】
さらに、前記各実施形態では、枠連結部材３３Ｃ，５３Ｃおよび框連結部材４３Ｃ，６３Ｃを、それぞれ樹脂製としたが、これらの枠連結部材および框連結部材が樹脂以外の材料（例えば、金属材料）から形成されていてもよい。
また、前記各実施形態では、結合部２２５，５３５，６３５を見込み方向に互いに離隔した２箇所に形成したが、結合部２２５，５３５，６３５の数は特に限定されず、２箇所以上の複数箇所に形成されていればよく、また結合部２２５，５３５，６３５の位置も、見込み方向に並べて形成する必要はなく、複数の結合部が互いに見付け方向にずれて形成されていてもよい。
さらに、前記第１実施形態では、框室外部材２２Ａ（２３Ａ，２５Ａ，２６Ａ）に２箇所の結合部２２５を設け、前記第２実施形態では、枠室外部材３３Ａおよび框室外部材４３Ａに２箇所の結合部３３５，４３５を設け、前記第３実施形態では、枠室外部材５３Ａおよび框室外部材６３Ａに２箇所の結合部５３５，６３５を設けたが、見込み方向に離隔した複数の結合部は、室外部材（框室外部材や枠室外部材）に限らず、室内部材（第１框室内部材や第２框室内部材、第１枠室内部材、第２枠室内部材）または連結部材に形成されていてもよい。
【００５８】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００５９】
【図１】本発明の第１実施形態に係る建具を示す横断面図である。
【図２】前記建具の下部を拡大して示す縦断面図である。
【図３】前記実施形態における他の形態の建具を示す横断面図である。
【図４】前記建具の下部を拡大して示す縦断面図である。
【図５】(Ａ)，(Ｂ)は、本発明の第２実施形態に係る建具の要部を示す横断面図である。
【図６】(Ａ)，(Ｂ)は、本発明の第３実施形態に係る建具の要部を示す横断面図である。
【図７】(Ａ)，(Ｂ)は、前記実施形態における図６とは相違する建具の要部を示す横断面図である。
【図８】(Ａ)，(Ｂ)は、前記実施形態における図６、図７とは相違する建具の要部を示す横断面図である。
【図９】(Ａ)，(Ｂ)は、本発明の変形例に係る建具の下部を拡大して示す縦断面図である。
【符号の説明】
【００６０】
１０，３０…枠体である窓枠、１２…下枠、１３，３３，５３…縦枠、２０，２０Ａ，２０Ｂ，２０Ｃ，２０Ｄ，２０Ｅ，４０，６０，７０，７０Ａ，７０Ｂ…面材である障子、２２，２２Ｃ，７１，７２…下框、２２Ａ，２３Ａ，２５Ａ，２６Ａ，４３Ａ，６３Ａ，７１Ａ，７２Ａ…框室外部材、２２Ｂ，２３Ｂ，２５Ｂ，２６Ｂ，６３Ｄ，７１Ｂ，７２Ｂ…第２框室内部材、２３，２３Ｃ，４３，６３…縦框、２７，２７Ａ，４７，４７Ａ，６７，６７Ａ，７７，７７Ａ…ガラスパネル、３３Ａ，５３Ａ…枠室外部材、３３Ｂ，５３Ｂ…第１枠室内部材、３３Ｃ，５３Ｃ…枠連結部材、４３Ｂ，６３Ｂ…第１框室内部材、４３Ｃ，６３Ｃ…框連結部材、５３Ｄ…第２枠室内部材、２２５，３３５，４３５，５３５，６３５，７１５，７２５…結合部。
【図１】
2007255121.tif 000003
【図２】
2007255121.tif 000004
【図３】
2007255121.tif 000005
【図４】
2007255121.tif 000006
【図５】
2007255121.tif 000007
【図６】
2007255121.tif 000008
【図７】
2007255121.tif 000009
【図８】
2007255121.tif 000010
【図９】
2007255121.tif 000011